(57)【要約】【課題】  複数の仕向けを有する印刷装置において、モバイル通信機器によって容易に仕向けを設定することが可能な仕向け地設定装置及び仕向け地設定方法を提供する。【解決手段】  通信機器から印刷装置の仕向けを変更する仕向け地設定装置において、通信機器が取得した位置情報を受信出来るための通信手段と、通信手段から取得した位置情報を解析するための解析手段と、解析手段から解析した解析結果から仕向けを判定するための判定手段と、判定手段から判定した結果から仕向けを設定するための設定手段とを備えたことを特徴とする仕向け地設定装置。【選択図】        図１
2007069563.tif 000002
【特許請求の範囲】
【請求項１】
通信機器から印刷装置の仕向けを変更する仕向け地設定装置において、通信機器が取得した位置情報を受信出来るための通信手段と、通信手段から取得した位置情報を解析するための解析手段と、解析手段から解析した解析結果から仕向けを判定するための判定手段と、判定手段から判定した結果から仕向けを設定するための設定手段とを備えたことを特徴とする仕向け地設定装置。
【請求項２】
前記通信手段において、通信機器から取得する位置情報は、緯度、経度情報であることを特徴とする請求項１に記載の仕向け地設定装置。
【請求項３】
前記解析手段において、通信手段から取得した位置情報を、現在印刷装置に設定されている仕向けの経度、緯度情報と照合する照合手段を備えたことを特徴とする請求項１に記載の仕向け地設定装置。
【請求項４】
前記判定手段において、照合手段の結果から、仕向けを変更するか否かを決めることを特徴とする請求項１に記載の仕向け地設定装置。
【請求項５】
前記設定手段では判定の結果から、印刷装置の仕向けの設定を行うことを特徴とする請求項１に記載の仕向け地設定装置。
【請求項６】
通信機器から印刷装置の仕向けを変更する仕向け地設定方法において、通信機器が取得した位置情報を受信出来るための通信ステップと、通信ステップから取得した位置情報を解析するための解析ステップと、解析ステップから解析した解析結果から仕向けを判定するための判定ステップと、判定ステップから判定した結果から仕向けを設定するための設定ステップを備えたことを特徴とする仕向け地設定方法。
【請求項７】
前記通信ステップにおいて、通信機器から取得する位置情報は、緯度、経度情報であることを特徴とする請求項６に記載の仕向け地設定方法。
【請求項８】
前記解析ステップにおいて、通信ステップから取得した位置情報を、現在印刷装置に設定されている仕向けの経度、緯度情報と照合する照合ステップを備えたことを特徴とする請求項６に記載の仕向け地設定方法。
【請求項９】
前記判定ステップにおいて、照合ステップの結果から、仕向けを変更するか否かを決めることを特徴とする請求項６に記載の仕向け地設定方法。
【請求項１０】
前記設定ステップでは判定の結果から、印刷装置の仕向けの設定を行うことを特徴とする請求項６に記載の仕向け地設定方法。
【発明の詳細な説明】
【技術分野】
【０００１】
本発明は、複数の「仕向け」を有する印刷装置において、通信機器から現在の位置情報を取得し、仕向けの設定を行う仕向け地設定装置及び仕向け地設定方法に関する。
【背景技術】
【０００２】
例えば特許文献１に記載されている技術は、印刷装置の電源ケーブルを挿すことにより印刷装置へ供給される電力の周波数帯の違いによって仕向け地の変更・設定を行っている。
【０００３】
しかしながら、電源ケーブルを挿して電源の供給を必要としない印刷装置等では、仕向けを変更する為の手段がない。つまり、バッテリーや電池で駆動する印刷装置は、この方法では仕向けを変更する事が出来ない。
【０００４】
また特許文献２に記載されている技術は、ある地域で使用していたＶＴＲ装置を異なる地域で使用する場合に、ユーザーが切換えスイッチでスイッチを切り替えるだけで、容易に仕向け先を変更する事が出来る。
【０００５】
しかしながら、この方法では２つの仕向けだけの切換えであればユーザーの操作による変更は容易であると考えられるが、複数の仕向けを準備したとすると、切換え操作が多くなったり、操作が複雑になったりする。
【特許文献１】特開２００１−２１５８４８号公報
【特許文献２】特開２０００−３２３７６号公報
【発明の開示】
【発明が解決しようとする課題】
【０００６】
従来より複写機やプリンタなどの印刷装置は、出荷時に出荷される仕向け先の使用環境（印刷用紙種類・電源仕様・言語表示など）に合わせて、印刷装置を設定していた。
【０００７】
印刷装置を色々な地域へ持って行き使用するユーザーは、各地域毎にその印刷装置で利用する「インクの種類」や「対応紙」、「ヘッド」などの仕様が異なる為、これらの消耗品が必要になった時に、印刷装置が利用地域での仕向けに対応していなければ、ユーザーは早急にこれらの消耗品を調達する事が出来ず、非常に不便であるという課題がある。
【０００８】
本発明は、以上の点に着目して成されたもので、モバイル通信機器によって容易に仕向けを設定することが可能な仕向け地設定装置及び仕向け地設定方法を提供することを目的とする。
【課題を解決するための手段】
【０００９】
上記の問題点を解決するために本発明は、以下の手段を用いて解決を行う。
【００１０】
請求項１記載の発明に関わる仕向け地設定装置は、通信機器が取得した位置情報を受信出来るための通信手段と、通信手段から取得した位置情報を解析するための解析手段と、解析手段から解析した解析結果から仕向けを判定するための手段と、判定手段から判定した結果から仕向けを設定するための設定手段とを備えたことを特徴とする。
【００１１】
請求項２記載の発明に関わる仕向け地設定装置は、前記通信手段において、通信機器から取得する位置情報は、「緯度」「経度」情報であることを特徴とする。
【００１２】
請求項３記載の発明に関わる仕向け地設定装置は、前記解析手段において、通信手段から取得した位置情報を、現在印刷装置に設定されている仕向けの「経度」「緯度」情報と照合する照合手段を備えたことを特徴とする。
【００１３】
請求項４記載の発明に関わる仕向け地設定装置は、前記判定手段において、照合手段の結果から、仕向けを変更するか否かを決めることを特徴する。
【００１４】
請求項５記載の発明に関わる仕向け地設定装置は、前記設定手段では判定の結果から、印刷装置の仕向けの設定を行うことを特徴とする。
【００１５】
請求項６記載の発明に関わる仕向け地設定方法は、通信機器が取得した位置情報を受信出来るための通信ステップと、通信ステップから取得した位置情報を解析するための解析ステップと、解析ステップから解析した解析結果から仕向けを判定するためのステップと、判定ステップから判定した結果から仕向けを設定するための設定ステップを備えたことを特徴とする。
【００１６】
請求項７記載の発明に関わる仕向け地設定方法は、前記通信ステップにおいて、通信機器から取得する位置情報は、「緯度」「経度」情報であることを特徴とする。
【００１７】
請求項８記載の発明に関わる仕向け地設定方法は、前記解析ステップにおいて、通信ステップから取得した位置情報を、現在印刷装置に設定されている仕向けの「経度」「緯度」情報と照合する照合ステップを備えたことを特徴とする。
【００１８】
請求項９記載の発明に関わる仕向け地設定方法は、前記判定ステップにおいて、照合ステップの結果から、仕向けを変更するか否かを決めることを特徴とする。
【００１９】
請求項１０記載の発明に関わる仕向け地設定方法は、前記設定ステップでは判定の結果から、印刷装置の仕向けの設定を行うことを特徴とする。
【発明の効果】
【００２０】
本発明によれば、印刷装置の近くにモバイル通信機器があれば、その通信機器から位置情報を印刷装置へ送信し、印刷装置の仕向けをその地域に対応した仕向けへ変更する事が可能になる。
【００２１】
仕向けを変更しなければ、その地域で販売されているインクや紙などの消耗品を使う事が出来ないといった問題が存在していた。
【００２２】
その問題を解決する為に、印刷装置の仕向け先を容易かつ柔軟に変更する事が出来る事によって、その仕向け先でしか取り扱っていない消耗品などを利用する事が出来、ユーザーにとってより使いやすい印刷装置を提供する事が出来る。
【発明を実施するための最良の形態】
【００２３】
以下本発明を実施するための最良の形態を、実施例により詳しく説明する。
【実施例】
【００２４】
携帯電話を利用しての実施例を以下に示す。
【００２５】
まず携帯電話が、現在の携帯電話が位置する位置情報を取得する。
【００２６】
現在の位置情報を取得した携帯電話から、その現在位置情報を印刷装置へ送信する（ステップＳ３０２）。印刷装置は、「受信した位置情報」を印刷装置の受信データ解析部の内部にある「仕向け地テーブル」と「受信した位置情報」を照合する（ステップＳ３０３）。
【００２７】
現在設定されている「仕向け」と、受信した位置情報が属する「仕向け」が同じ場合は（ステップＳ３０４）、印刷装置は仕向けを変更する事無く終了する（ステップＳ３０６）。
【００２８】
現在設定されている「仕向け」と、受信した位置情報が属する「仕向け」が異なる場合は（ステップＳ３０４）、受信した位置情報に対応する「仕向け」へ、印刷装置の仕向けを変更する（ステップＳ３０５）。
【００２９】
以下に、詳細な実施例を示す。
【００３０】
＜仕向けを変更しない例＞
印刷装置の仕向けが、「仕向けｆ」に設定されていたとする（図４参照）。
【００３１】
つまり、「東アジア仕向け」に設定されているとする。
【００３２】
携帯電話が        Ｎ      ３４°    ４３’  ４５．７
Ｅ    １３５°    １９’  ５７．３
という位置情報を取得したとする。
【００３３】
この位置情報を印刷装置へ送信し、仕向けを変更させるとする。
【００３４】
まず、携帯電話から上記の「緯度」「経度」の位置情報を印刷装置へ送信する（ステップＳ３０２）。
【００３５】
受信データ解析部で、「現在の仕向け」と「取得した位置情報」の照合を行う（ステップＳ３０３）。
【００３６】
現在の印刷装置の仕向けである「仕向けｆ」（「東アジア仕向け」）は、
緯度        ０°  ＜＝  Ｎ  ＜    ４５°
０°  ＜    Ｓ  ＜＝  ３０°
経度      ６０°  ＜＝  Ｅ  ＜  １８０°
より、携帯電話から取得した位置情報は、この範囲内に収まる為（ステップＳ３０４）、印刷装置の仕向けを変更する事無く終了する（ステップＳ３０６）。
【００３７】
＜仕向けを変更する例＞
印刷装置の仕向けが、「仕向けｂ」に設定されていたとする。
【００３８】
つまり、「北米仕向け」に設定されているとする。
【００３９】
携帯電話が        Ｎ      ３４°    ４３’  ４５．７
Ｅ    １３５°    １９’  ５７．３
という位置情報を取得したとする。
【００４０】
この位置情報を印刷装置へ送信し、仕向けを変更させるとする。
【００４１】
まず、携帯電話から上記の「緯度」「経度」の位置情報を印刷装置へ送信する（ステップＳ３０２）。
【００４２】
受信データ解析部で、「現在の仕向け」と「取得した位置情報」の照合を行う（ステップＳ３０３）。
【００４３】
現在の印刷装置の仕向け地である「仕向けｂ」（「北米仕向け」）は、
緯度      １５°  ＜＝  Ｎ  ＜＝    ９０°
経度      ３０°  ＜    Ｗ  ＜＝  １８０°
より、携帯電話から取得した位置情報は、この範囲内には収まらない為、印刷装置の仕向けの変更を行う。
【００４４】
緯度候補を決める。
【００４５】
Ｎ＝３４°  ４３’  ４５．７
という「緯度」情報から、図４の仕向け地テーブルより「仕向けｂ」「仕向けｃ」「仕向けｆ」「仕向けｇ」がまず候補になる。
【００４６】
次に、経度候補を決める。
【００４７】
Ｅ＝１３５°  １９’  ５７．３
という「経度」情報から、図４の仕向けテーブルより「仕向けａ」「仕向けｄ」「仕向けｆ」が候補になる。
【００４８】
この結果から「緯度候補」「経度候補」の両候補に存在する、「仕向けｆ」へ設定を変更する（ステップＳ３０５）。
【図面の簡単な説明】
【００４９】
【図１】本発明に係る仕向け地設定方法の構成を示す模式図である。
【図２】通信機器及び印刷装置の構成を示すブロック図である。
【図３】本発明の処理手順を示すフローチャート図である。
【図４】仕向けと緯度・経度情報が対応付けられている仕向けテーブルである。
【図５】仕向けが対応付けられた世界図である。
【図６】仕向けと経度・緯度情報が記載された図である。
【図７】図４の仕向けテーブルの情報を、仕向けと経度・緯度情報と共に表わした図である。
【符号の説明】
【００５０】
１    通信機器
１ａ  通信機器のＣＰＵ
１ｂ  通信機器のＲＡＭ
１ｃ  通信機器のＲＯＭ
１ｄ  通信機器のインターフェース
１ｅ  通信機器の位置情報取得部
２    印刷装置
２ａ  印刷装置のＣＰＵ
２ｂ  印刷装置のＲＡＭ
２ｃ  印刷装置のＲＯＭ
２ｄ  印刷装置のインターフェース
２ｅ  印刷装置の受信データ解析部
２ｆ  印刷装置の印字部
【図１】
2007069563.tif 000003
【図２】
2007069563.tif 000004
【図３】
2007069563.tif 000005
【図４】
2007069563.tif 000006
【図６】
2007069563.tif 000007
【図７】
2007069563.tif 000008
【図５】
2007069563.tif 000009